(57)【特許請求の範囲】
【請求項１】
道路に設置される表示板の制御機であって、
前記表示板の支柱から延びる取付部に取り付けられ、配線によって前記表示板と接続される接続部が内部に設けられた筐体と、
前記筐体に取り付けられ、前記支柱側に開口するように開けられる観音開きの扉を備える開閉部と、
を備え、
前記筐体が前記取付部に取り付けられた状態において、前記支柱と前記扉の回転中心との距離は、前記扉の回転半径よりも大きいことを特徴とする
制御機。
【請求項２】
前記筐体は、
前記支柱側に開口する開口部と、
前記開口部が存在する開口面に隣接し、かつ、前記支柱の軸に平行な側面とを備え、
前記開閉部は、
前記側面に沿ってスライド可能である、
請求項１に記載の制御機。
【請求項３】
前記開閉部は、
大径部、および前記大径部と同軸であって当該軸に垂直な一方向における幅が前記大径部より小さい小径部、を有する柱状部と、
前記大径部の直径より僅かに大きい直径の円形穴、および前記円形穴に連結されるとともに前記小径部の幅より僅かに大きい幅のスリット、を有する扉支持部材とを備え、
前記扉支持部材は、
前記大径部が前記円形穴に支持された状態で前記扉の回転中心となって回転し、前記スリットが延びる方向が水平かつ前記側面に平行となるように、前記側面に対して取り付けられる、
請求項２に記載の制御機。
【請求項４】
前記開閉部は、
前記扉の回転可能な角度範囲を所定範囲以内に規制する規制部を備える、
請求項１〜請求項３のいずれかに記載の制御機。
【発明の詳細な説明】
【技術分野】
【０００１】
本発明は、道路に設置される表示板等の制御機に関する。
【背景技術】
【０００２】
従来、支柱に取り付けた表示板に交通情報等を表示する技術が知られている。当該表示板においては、表示板における表示の制御を行うなどのために制御機が併設される。当該制御機は、通常、表示板の支柱に取り付けられ、筐体内に表示制御のための制御装置（表示制御のための操作部、非常用の電源部、通信部、配線によって表示板と接続される接続部等）が設けられる。当該筐体においては、制御装置を風雨から守る等のために扉が設けられ、必要に応じて扉が開けられることによって内部の制御装置に対するアクセスが可能になる。このような制御機としては、例えば、特許文献１のような技術が知られている。当該特許文献１においては、制御機の一面が支柱に接触するように当該制御機が支柱に対して取り付けられている。このような構成において、従来は、支柱の反対側に位置する制御機の面に扉が設けられ、当該扉によって制御機内の制御装置に対するアクセスが可能になる。
【先行技術文献】
【特許文献】
【０００３】
【特許文献１】特開２００１−２８３３７８号公報
【発明の概要】
【発明が解決しようとする課題】
【０００４】
従来の技術においては、設置スペースが限られた道路において、制御機の据付時や保守時の作業に支障が出る場合があった。例えば、道路の分離帯や防音壁に隣接する道路の路肩等に制御機を設置する場合、設置位置や設置の方向が制限される場合がある。また、制御機の扉が回転して開閉する場合、開閉によって扉が筐体の外側の道路上に達するといった問題の他、防音壁の近くなどにおいては扉が防音壁等に干渉して制御機の扉が開閉できないといった問題が発生した。さらに、支柱の反対側に扉が設けられる構成においては、操作者や作業者によるアクセスが必要な全ての部分を扉側に集中して配置する必要があるため、各部分の配置に対する設計上の制約が生じる他に、結線や保守の際の作業スペースが制限されるため作業性を大きく損ねるといった問題が生じた。
本発明は、前記課題にかんがみてなされたもので、限られた設置スペースであっても高い作業性および保守性を確保可能な状態で設置することが可能な制御機を提供することを目的とする。
【課題を解決するための手段】
【０００５】
上述の目的を達成するため、制御機は、取付部を介して支柱に取り付けられる。従って、支柱の周囲のスペースが限られている場所であっても、支柱の周囲に制御機と同等のスペースが存在すれば設置可能であるため、制御機を容易に設置することができる。また、制御機においては、開閉部によって支柱側を開口させることができるように構成されている。従って、制御機が支柱に取り付けられた状態で、支柱と制御機との間に向けて筐体が開口するため、支柱の周囲の設置スペースが限られていたとしても、支柱側から制御機内に手を挿入して接続部に対する保守作業等を行うことができる。このため、制御機から見て支柱と反対側（後述する実施形態に示す方向における裏面側）から作業者が結線や保守等を行う必要はなく、当該支柱の周囲の設置スペースが限られていたとしても作業者は支柱側から制御機内の接続部等に対して容易にアクセスすることができる。
【０００６】
ここで、筐体は、配線によって表示板と接続される接続部が内部に設けられた箱であれば良く、形状は限定されない。従って、筐体は直方体であっても良いし、一部の面が曲面であっても良く種々の構成を採用可能である。接続部は、表示板と接続される端子等を備えていればよい。筐体内には、接続部の他にも種々の機能を有する装置、回路等を備えて良く、操作部、非常用の電源部、通信部等が備えられていてよい（すなわち、表示板を制御する制御装置のいかなる部分が備えられていてもよい）。
【０００７】
表示板の態様は種々の態様を採用可能であり、矩形や多角形など任意の形状であってよく、表示面も平面の他、曲面であってもよく、種々の形状を採用可能である。支柱は、表示板および筐体を支持する柱であれば良く、円柱であっても良いし多角形からなる角柱であっても良い。なお、取付部は、支柱から筐体側に延び、当該取付部に取り付けられた筐体を支持することができればよく、形状や材料は特に限定されない。
【０００８】
開閉部は、筐体に取り付けられ、開閉によって発生し得る開口部が支柱側に開口するように構成されていれば良い。このような構成は、例えば、取付部に取り付けられた筐体が支柱側に開口する開口部を備えており、開閉部によって当該開口部を開閉する構成によって実現可能である。
【０００９】
さらに、開閉部の動作が他の物体（作業者や車両等）の妨げとならないように、開閉部の可動範囲を制限できるように構成されていても良い。このような構成としては、例えば、筐体が、支柱側に開口する開口部と、開口部が存在する開口面に隣接し、かつ、支柱の軸に平行な側面とを備え、開閉部が、側面に沿ってスライド可能である構成が挙げられる。
【００１０】
すなわち、筐体の開口部を開口させることによって開口部から離れた部分（観音扉等）を、筐体の側面側に沿ってスライドさせることによって開口部から退避させることが可能である。この構成によれば、開口部から離れた部分が側面に沿った状態となり、当該部分が側面から垂直な方向に張り出すことを防止することができ、開閉部が他の物体の妨げになることを防止することができる。
【００１１】
扉としては開閉部が観音開きの扉を備えることが好ましい。この構成によれば、ヒンジによって回転する少なくとも２枚の扉によって簡易に開口部を開閉させることが可能である。また、開閉部が観音開きの扉を備える構成においては、筐体が取付部に取り付けられた状態において、支柱と扉の回転中心との距離が扉の回転半径よりも大きい構成であることが好ましい。この構成によれば、支柱と干渉させることなく観音開きの扉を開閉することが可能になる。また、支柱と扉の回転中心との距離が扉の回転半径よりも僅かに大きい構成とすれば、支柱と制御機との間の距離を最小にすることができるため重量の重い制御機の支柱に対する負荷を最小に押さえることができる。
【００１２】
開閉部を筐体の側面に沿ってスライドさせるための構成としては、種々の構成を採用可能である。例えば、筐体の側面に沿って延びる移動方向規制部（レールや溝、スリット等）を側面に取り付け、当該移動方向規制部によって開閉部を移動させることによって、当該開閉部を側面に沿ってスライドさせる構成等を採用可能である。移動方向規制部が移動方向を規制する部分は、扉自体であっても良いし、扉に取り付けられた部材（ヒンジ等）であっても良く、種々の構成を採用可能である。
【００１３】
後者の構成例としては、例えば、開閉部が、大径部、および当該大径部と同軸であって当該軸に垂直な一方向における幅が前記大径部より小さい小径部、を有する柱状部と、大径部の直径より僅かに大きい直径の円形穴、および円形穴に連結されるとともに小径部の幅より僅かに大きい幅のスリット、を有する扉支持部材とを備え、大径部が円形穴に支持された状態で扉の回転中心となって回転し、前記スリットが延びる方向が水平かつ前記側面に平行となるように、扉支持部材が側面に対して取り付けられる構成であっても良い。
【００１４】
すなわち、開閉部を構成する扉には柱状部が連結されており、当該柱状部の大径部が扉支持部材に設けられた円形穴において回転可能に支持される。従って、扉は当該柱状部の軸を中心にして回転可能である。また、扉支持部材に設けられた円形穴はスリットに連結されているが、スリットの幅は大径部の直径より狭いため、円形穴の内側に大径部が存在する状態において、柱状部はスリット側に移動しない。従って、円形穴の内側に大径部が存在する状態であれば、円形穴に柱状部が保持された状態で扉を開閉させることが可能である。
【００１５】
一方、柱状部は大径部と小径部とを有するため、軸方向に扉を移動させることによって柱状部の小径部を扉支持部材の円形穴の内側に配置させることができる。スリットの幅は小径部の幅より僅かに大きいため、小径部が扉支持部材の円形穴の内側に配置された状態において扉をスライドさせると、柱状部の小径部がスリットの内側を移動する。この移動により、扉が筐体の側面に沿って移動することになる。
【００１６】
柱状部は、大径部および小径部を有し、軸方向に延びる柱状の部位である。柱状部の長さや大きさは種々の態様を採用可能であるが、大径部の外周は円形状である。従って、柱状部は少なくとも円柱状の部位を含む。また、大径部と小径部とは同軸であるため柱状部は外径の異なる部分を有する柱状の部位である。ただし、小径部の外周は円形でなくてもよい。すなわち、大径部と同軸の部分において大径部より幅が小さい小径部が存在することにより、小径部がスリットの間を通ってスライドできるように構成されていれば良い。従って、小径部の形状は円形であっても良いし、円形と異なる形状（例えば、卵形、長円形（長方形の対辺に半円が連結された形状）、楕円形等）であっても良い。なお、柱状部は、ネジ等によって固定されるためにネジ穴が形成されていても良く、当該ネジ穴が軸方向に貫通しているのであれば柱状部は筒状部となる。
【００１７】
円形穴は、大径部の直径より僅かに大きい直径であれば良く、これにより、大径部の外周が円形穴の内周に囲まれた状態で回転できるように構成されていれば良い。スリットの幅は、小径部の幅より僅かに大きければよい。すなわち、スリットの間を小径部がスライド移動できるように構成されており、かつ、大径部がスリットの間に移動できないように構成されていれば良い。
【００１８】
扉支持部材は筐体の側面に対して取り付けられるが、この際、大径部を回転中心とした扉の回転と、小径部を利用した扉のスライドが行われるように扉支持部材が筐体の側面に取り付けられる。従って、円形穴の位置が扉の回転中心となるように扉支持部材の位置および向きが調整されて、扉支持部材が筐体の側面に取り付けられる。また、スリットが延びる方向は、小径部の移動方向（＝扉の移動方向）を規定するため、スリットが延びる方向が水平かつ側面に平行となるように向けられて扉支持部材が筐体の側面に取り付けられることにより、扉の移動方向を水平かつ側面に沿った方向となるように規定することができる。なお、本明細書において、水平、平行などの方向は概略の方向であれば良く、制御機１０の設置場所の傾斜や施工時の誤差等によって水平や平行などの方向と僅かに異なっていてもよい。
【００１９】
さらに、開閉部が、扉の回転可能な角度範囲を所定範囲以内に規制する規制部を備える構成であっても良い。この構成によれば、扉が過度に回転することを防止することができ、扉が過度に回転することによって他の物体（作業者や車両等）の妨げとなることを防止することができる。規制部の構成としては、種々の構成を採用可能である。例えば、扉が閉じた状態から開く過程において、ある角度になると扉と干渉する部材が設けられていても良いし、扉がある角度に達した状態において扉の角度が略一定に維持された状態で扉が筐体の側面に沿ってスライドする構造が形成されていても良く、種々の構成が採用可能である。
【図面の簡単な説明】
【００２０】
【図１】図１Ａは本発明の一実施形態にかかる制御機を備える表示システムの正面図、図１Ｂは表示システムの側面図である。
【図２】図２Ａ〜図２Ｃは制御機を示す図である。
【図３】図３Ａ〜図３Ｃはヒンジを示す図であり、図３Ｄ、図３Ｅは柱状部を示す図である。
【図４】図４Ａ〜図４Ｄは扉支持部材の上面図である。
【図５】図５Ａ〜図５Ｃはヒンジの動作を説明する図である。
【図６】図６Ａ〜図６Ｇは取付部を説明する図である。
【図７】図７Ａは支柱と制御機との位置関係を説明する図であり、図７Ｂ、図７Ｃは柱状部を示す図である。
【発明を実施するための形態】
【００２１】
ここでは、下記の順序に従って本発明の実施の形態について説明する。
（１）表示システムの構成：
（２）制御機の構成：
（２−１）開閉部の構成：
（２−２）扉支持部材の構成：
（３）取付部の構成：
（４）他の実施形態：
【００２２】
（１）表示システムの構成：
図１Ａは本発明の一実施形態にかかる制御機を備える表示システムの正面図、図１Ｂは表示システムの側面図である。本実施形態において表示システム１は、ベース２、支柱３、表示板４、制御機１０を備え、ベース２が道路に埋設されることによって表示システム１が道路に設置される。
【００２３】
支柱３は、ベース２の上部に取り付けられて上方に延びる円柱状の部材であり、支柱３の上部には支柱３の軸方向に垂直に延びる円柱状の支持部（梁柱）３ａ，３ｂが連結されている。表示板４は支持部３ａ，３ｂに取り付けられており、本実施形態においては、道路上を車両の進行方向に走行する者が表示内容を視認できるように表示板４が支持部３ａ，３ｂに取り付けられている。
【００２４】
表示板４は、複数の表示素子を備えており、支持部３ａ，３ｂおよび支柱３の内部を通る配線によって電力および信号が供給され、当該信号が示す交通情報を表示することができる。なお、本実施形態においては、車両の進行方向を基準に方向を記述する。例えば、車両の進行方向は前方、車両の進行方向を前方とした左右が左右方向となる。また、図１Ａは車両の進行方向の後方側から前方側を眺めた状態を示しており、この状態の図を正面図と呼ぶ。従って、本実施形態においては、支柱部３と反対側における制御機１０の面を開口させる扉（後述する扉１２）を正面と呼ぶ呼び方とは逆の呼び方になる。
【００２５】
（２）制御機の構成：
本実施形態において制御機１０は、直方体の筐体を備えており、筐体の内部に、配線によって表示板と接続される接続部が備えられている。図２Ａおよび図２Ｂは制御機１０の左側面図、図２Ｃは制御機１０の正面図を示している。ただし、図２Ｂにおいては制御機１０の筐体が備える遮熱板１１や扉２０が備えるヒンジ２１等が取り外された状態を示している。
【００２６】
図２Ａ〜図２Ｃに示すように、制御機１０の筐体は直方体であり、上面および下面が支柱３の軸に垂直（すなわち水平）に配向し、正面、裏面および側面が軸に平行（すなわち鉛直）に配向する。なお、本実施形態においては、筐体の上面および側面に対して、各面に平行な遮熱板１１が取り付けられている。制御機１０の筐体は、正面が支柱３側を向くように取付部４０〜４３によって支柱に取り付けられている（後に詳述）。
【００２７】
制御機１０の前方側には扉１２、後方側には扉２０が取り付けられている。扉１２はヒンジ１２ａによって側面に対して連結されており、ヒンジ１２ａの回転中心を軸にして扉１２を回転させることにより、前方側に向けて扉１２を開くことができる。なお、制御機１０の筐体において、前方側には扉１２によって開閉される矩形の開口部が形成されており、扉１２の開閉によって開口部を外部に露出させ、また、閉じることが可能である。
【００２８】
扉２０は、２枚の扉を備えており、正面図において各扉は上下方向に長い長方形である。各扉においては、左右の端部の３カ所にヒンジ２１が連結されており、ヒンジ２１は、側面１３に取り付けられた扉支持部材（後述）に回転可能に支持されている。従って、ヒンジ２１の回転中心を軸にして扉２０のそれぞれを回転させることにより、後方側に向けて扉２０を開くことができる。制御機１０の筐体において、後方の面（正面２０ｂ）には開口部２０ａが形成されており、扉２０の開閉によって当該開口部２０ａを外部に露出させ、また、閉じることが可能である。以上のように、扉２０は二枚であり左右側の端部に回転中心を有するため観音開きの扉である。本実施形態において、開口部２０ａは正面２０ｂに形成されており、正面２０ｂと側面１３とは隣り合う面である。従って、側面１３は、開口部２０ａが存在する正面２０ｂ（開口面）に隣接し、かつ、支柱３の軸に平行な面である。
【００２９】
以上の構成において、扉２０は後方に向けて開くため、扉２０を開くことにより筐体を支柱３側に開口させることができる。従って、支柱３の周囲（図１に示す前方や左右方向）におけるスペースが限られていても制御機１０を容易に設置することができる。また、支柱３側から制御機１０内に手を挿入して制御機１０内の図示しない接続部等に関する作業を行うことができる。従って、支柱３側や左右方向のスペースが限られていたとしても作業者は支柱３側から制御機１０内の接続部等に容易にアクセスすることができる。
【００３０】
（２−１）開閉部の構成：
図３Ａ〜図３Ｅは、ヒンジ２１を示す図であり、図３Ａはヒンジ２１の左側面図、図３Ｂはヒンジ２１の正面図、図３Ｃはヒンジ２１の上面図である。また、図３Ｄおよび図３Ｅは、ヒンジ２１を構成する柱状部２１ｄを抜き出して示す図であり図３Ｄは柱状部２１ｄの上面図、図３Ｅは図３Ａに示す状態における柱状部２１ｄの正面図である。なお、図３Ａにおいては、後述する扉支持部材３０も図示されている。
【００３１】
ヒンジ２１は、板状の部材２１ａ，２１ｂ，２１ｃを備えている。部材２１ａはネジ穴を有しており、当該ネジ穴を介してネジによって扉２０の側面に連結される。部材２１ｂ，２１ｃは、一方に長い板状の部材の端部が直角に曲げられたような形状であり、一方の端部が部材２１ａに連結されている。部材２１ｂ，２１ｃは、柱状部２１ｄを挿入可能な円形の穴を有しており、上方に位置する部材２１ｂにおける円形の穴の直径は、下方に位置する部材２１ｃにおける円形の穴の直径よりも大きい。
【００３２】
すなわち、柱状部２１ｄは上部と下部とで直径が異なるとともに上部の直径Ｄ1は下部の直径Ｄ2より大きい。部材２１ｂにおける円形の穴は直径Ｄ1より僅かに大きく、部材２１ｃにおける円形の穴は直径Ｄ2より僅かに大きい。そして、ヒンジ２１の部材２１ａに対して部材２１ｂは上部、部材２１ｃは下部に連結されるため、柱状部２１ｄにおける直径Ｄ1の部位を上方、直径Ｄ2の部位を下方に向けた状態で部材２１ｂ，２１ｃの間に柱状部２１ｄを挟むことができる。柱状部２１ｄにおいては、軸Ａに沿ってネジ穴が形成されており、部材２１ｂ，２１ｃの間に柱状部２１ｄを挟んだ状態で当該ネジ穴を介してネジによって部材２１ｂ，２１ｃおよび柱状部２１ｄが固定される。なお、柱状部２１ｄを部材２１ｂ，２１ｃに固定する方法としては、上記の方法の他に、部材２１ｂ，２１ｃにネジ穴を直接に開けて、ネジで柱状部２１ｄを挟んだ形で固定してもよい。
【００３３】
柱状部２１ｄは軸Ａに沿って延びる部材であり、軸Ａに垂直な面内の形状が直径Ｄ1の円形である大径部２１ｄ１と、当該大径部２１ｄ１に連結された小径部２１ｄ２とを有している。小径部２１ｄ２は、軸Ａに垂直な面内の形状が幅Ｄ2の長円形である部位と直径Ｄ2の円形である部位とが上下に連結されることによって構成されている。すなわち、小径部２１ｄ２は、軸Ａ方向に延びる直径Ｄ2の円柱が、一定の幅Ｄ2で一方に突出して形成される形状である。
【００３４】
上述のように、部材２１ａが扉２０の側面に連結され、部材２１ｂ，２１ｃが直角に屈曲して一方に延びるため、部材２１ｂ，２１ｃは扉２０の側面から制御機１０の側面に沿って前方へ延びる状態となる。部材２１ｂ，２１ｃにおいては、当該前方側に円形の穴が形成されており、柱状部２１ｄが固定されている。従って、ヒンジ２１は、扉２０の側面から前方に向けて延び、前方の端部よりで柱状部２１ｄが保持された状態になっている。
【００３５】
（２−２）扉支持部材の構成：
本実施形態において、柱状部２１ｄは、筐体の側面に取り付けられた扉支持部材３０に挿入される。図４Ａ〜図４Ｄは、扉支持部材３０の上面図であり、図４Ａ，図４Ｃ，図４Ｄは筐体の側面１０ａに扉支持部材３０が取り付けられた状態を示しており、図４Ｂは扉支持部材３０を抜き出した状態で示している。また、図４Ａ，図４Ｃ，図４Ｄにおいて、筐体と扉は水平方向に切断した状態で示している。
【００３６】
扉支持部材３０は、一方に長い板状の部材であり、長手方向に延びる線が折り曲げ線となる状態で直角に曲げられている。曲げられた状態で互いに垂直に配向する一方の面はネジ穴を有しており、当該ネジ穴を介してネジによって筐体の側面１０ａに連結される。この際、扉支持部材３０の長手方向は前後方向に向けられる。従って、扉支持部材３０においては、板状の部位が側面１０ａに垂直な方向に張り出すとともに、当該張り出した部分が前後方向に延びる状態で側面１０ａに連結されている。
【００３７】
扉支持部材３０において、側面１０ａに垂直な方向に張り出した部分には、円形穴３０ａおよびスリット３０ｂが設けられている。円形穴３０ａは直径Ｄaの円形の穴である。スリット３０ｂは幅Ｄbであり、円形穴３０ａに連結されるとともに前後方向に延びている。円形穴３０ａの直径Ｄaは、柱状部２１ｄにおける大径部２１ｄ１の直径Ｄ1より僅かに大きい。従って、円形穴３０ａに大径部２１ｄ１が挿入されることにより、大径部２１ｄ１の軸Ａ（図３Ｄ参照）を中心にして柱状部２１ｄおよび柱状部２１ｄに連結されたヒンジ２１、扉２０を回転させることができる。
【００３８】
スリット３０ｂは、前後方向に延びる一定の幅Ｄbの穴であり、後方の端部は円形穴３０ａに連結され、前方の端部は半円形である。スリット３０ｂの幅Ｄbは、柱状部２１ｄにおける小径部２１ｄ２の幅Ｄ2より僅かに大きい。従って、スリット３０ｂの幅方向と小径部２１ｄ２の幅方向とが一致するように小径部２１ｄ２がスリット３０ｂに挿入されることにより、小径部２１ｄ２および小径部２１ｄ２に連結されたヒンジ２１、扉２０を前後方向にスライドさせることができる。
【００３９】
本実施形態においては、小径部２１ｄ２が図３Ｄに示すように幅Ｄ2の長円形の突出部を有しており、当該突出部が扉２０の回転可能な角度範囲を９０度以内に規制する規制部として機能する。図５Ａ〜図５Ｃは、小径部２１ｄ２が回転角度を規制する規制部として機能する様子を説明する説明図であり、図５Ａは図４Ａに示す状態を左側面から見た図、図５Ｂは図４Ｃに示す状態を左側面から見た図、図５Ｃは図５Ｂに示す状態の扉２０を上方に持ち上げた状態を示している。
【００４０】
図４Ａ、図５Ａに示す状態において、大径部２１ｄ１は扉支持部材３０の円形穴３０ａに挿入された状態にあるため、大径部２１ｄ１の軸Ａを中心にして扉２０を回転させることができる。扉２０が閉じた状態から９０度回転させると、扉２０は図４Ｃ、図５Ｂに示す状態となる。小径部２１ｄ２は一方向に突出しており、図４Ａに示す状態において突出方向は左右方向である。一方、扉２０が図４Ｃ、図５Ｂのように９０度回転すると、小径部２１ｄ２の突出方向も９０度回転し、図５Ｂにおいて破線の矢印Ａｒで示すように突出方向が前後方向に平行になる。
【００４１】
小径部２１ｄ２の突出方向に垂直な方向の幅Ｄ2はスリット３０ｂの幅Ｄbよりも僅かに小さいため、図５Ｂに示す状態において扉２０を上方に持ち上げることにより、図５Ｃに示すように小径部２１ｄ２を扉支持部材３０の円形穴３０ａおよびスリット３０ｂに挿入することができる。この状態においては、扉２０を前後方向にスライドさせることが可能であるが、上方から見た小径部２１ｄ２の形状は図３Ｄに示すように長円形であるため、柱状部２１ｄの軸Ａを中心として扉２０を回転させることはできない。なお、図５Ｃは扉２０を小径部２１ｄ２の中間の位置まで少し持ち上げた状態を示している。
【００４２】
従って、図４Ａに示すように扉２０が閉じている状態を０度とした場合に、扉２０の回転角度は９０度以下に規制される。また、扉２０の回転角度が９０度以下に規制された状態で扉２０を前後方向にスライドさせることができる。この構成によれば、扉２０が側面に沿った状態となり、扉２０が側面から垂直な方向に張り出すことを防止することができ、扉２０が他の物体の妨げになることを防止することができる。
【００４３】
本実施形態においては、扉支持部材３０に規制部材３０ｃが取り付けられている。規制部材３０ｃは、板状の部材を直角に曲げて形成した部材であり、一方の面がネジ等によって扉支持部材３０に固定される。規制部材３０ｃの他方の面は左右方向に平行になるように向けられ、当該面が円形穴から所定距離Ｌの位置となるように扉支持部材３０に対して固定されている（図４Ｄ参照）。図４Ｃに示す状態から扉２０を後方にスライドさせると、図４Ｄに示すように部材２１ｂが規制部材３０ｃに接触して停止するため、扉２０は前後方向に距離Ｌだけスライド可能である。
【００４４】
（３）取付部の構成：
図１Ｂに示すように、制御機１０の筐体は取付部４０〜４３によって支柱３に対して取り付けられる。支柱３には、取付部４０，４２が連結されており、取付部４０には取付部４１がネジによって連結され、取付部４２には取付部４３がネジによって連結される。すなわち、取付部４０は支柱３から前方に延びる円柱状の部材の前方の端部がフランジ状に形成されて構成されており、当該フランジ状の部位に取付部４１が連結される。また、取付部４２は支柱３から前方に延びるとともに前方の端部で鉛直下方に向けて曲げられた部位を有しており、当該前方の端部に取付部４３が連結される。
【００４５】
図６Ａ〜図６Ｄは取付部４１を示す図であり、図６Ｂは取付部４１の上面図、図６Ａは取付部４１を後方から見た図、図６Ｃは取付部４１を前方から見た図、図６Ｄは取付部４１を右側面から見た図である。これらの図に示すように、取付部４１の後方の端部はフランジ状の部位４１ａとなっており、部位４１ａが後方を向くようにネジ穴を介して取付部４０に取り付けられる。
【００４６】
フランジ状の部位４１ａからは、前方に向けて矩形の筒状体４１ｂが突出している。筒状体４１ｂの上端には、上面から見て矩形の板状の部材４１ｃが連結されている。部材４１ｃの下方には、部材４１ｃと筒状体４１ｂとに連結されたリブ４１ｄが設けられており、部材４１ｃの上面には、部材４１ｃの複数の位置に形成されたネジ穴を介してネジによって筐体の下面が連結される。なお、部材４１ｃおよび筒状体４１ｂの上面には穴が形成されており、筐体の下面にも図示しない穴が形成されている。従って、筐体内に設けられる接続部から延びる電力線や信号線を当該穴から通し、支柱３内を通して表示板４に配線することができる。
【００４７】
図６Ｅ〜図６Ｇは取付部４３を示す図であり、図６Ｆは取付部４３の上面図、図６Ｅは取付部４３を後方から見た図、図６Ｇは取付部を右側面から見た図である。これらの図に示すように、取付部４３は、板状の部材が直角に曲げられ、直角部分にリブ４３ｃが設けられた構造である。直角に曲げられることによって得られた一方の面４３ａは鉛直方向に平行、他方の面４３ｂは水平方向に平行に向けられ、面４３ａが後方を向くようにネジ穴を介して取付部４２に取り付けられる。水平方向に平行な面４３ｂには、ネジ穴を介してネジによって筐体の上面が連結される。
【００４８】
以上のように、制御機１０の筐体は、取付部４３と取付部４１とに上下を挟まれて固定され、取付部４３および取付部４１が取付部４２および取付部４０に連結されることにより、制御機１０の筐体が支柱３に固定される。上述のように、部材４１ｃおよび面４３ｂにはネジ穴が形成されているため、当該ネジ穴の位置および取付部４０〜４３の大きさによって支柱３と制御機１０との距離が規定されることになる。
【００４９】
図７Ａは、扉２０と支柱３との位置関係を筐体の一部とともに抜き出して示す図であり、上方から見た状態で示している。本実施形態においては、扉２０の回転中心（柱状部２１ｄの軸Ａ）から支柱３までの距離Ｌｃが、扉２０の回転半径Ｒ1よりも僅かに大きくなる（Ｌｃ＞Ｒ1かつＬｃ≒Ｒ1）ように取付部４０〜４３の大きさが規定されている。このため、扉２０を回転させる際に、支柱３と干渉させることなく扉２０を開閉することが可能になる。なお、距離Ｌｃは回転半径Ｒ1より大きければ良いが、距離Ｌｃが過度に大きいと前後方向に多くのスペースが必要になるため、距離Ｌｃ−回転半径Ｒ1は可能な限り小さいことが好ましい。例えば、Ｌｃ−Ｒ1が制御機１０等の設置誤差の最大値（数ｃｍ、例えば、５ｃｍ、３ｃｍ、１ｃｍ以下等）であることが好ましい。以上により、支柱３と制御機１０との離間スペースが短いにも拘わらず、観音開き扉による効果と相まって支柱３と制御機１０の間に結線や保守等に必要なスペースが確保される。
【００５０】
（４）他の実施形態：
以上の実施形態は本発明を実施するための一例であり、支柱に取り付けられた制御機の筐体が支柱側に開口する開閉部を備えている限りにおいて、他にも種々の実施形態を採用可能である。例えば、開閉部は、その動作によって筐体の開口部を開閉させることができればよく、構造は限定されない。具体的には、開閉部は、上述のような観音開きの扉に限定されず、片開きの扉であっても良い。より具体的には、支柱３側の筐体の開口部側には、端子や保守に必要な基板類を配置する専用スペースが確保できるため開閉できるのは片側の扉だけでもよく、片側は筐体の側面からの延長した筐体として閉じた構造としても良い。また、片開きの扉とする場合には、支柱３と制御機１０との離間を若干拡げるか、或いは制御機１０のみを防音壁等の障害物と反対側に専用の取付部で平行移動させることによって片開きの扉の幅の比を全幅の６〜７／１０としても良い。さらに、扉の構造は、左右の扉の略中間を支点とする折り戸の構造を採用することが可能であり、右の扉の右端を施錠側として開閉できるようにし、図７Ａに示す扉２０、２０が図面左側で蝶番等で内側に折重なった状態で、扉支持部材３０に対してスライドできるようにしても良い。
【００５１】
また、柱状部２１ｄの小径部２１ｄ２は、一方向に突出する構成に限定されず、小径部２１ｄ２も大径部２１ｄ１と同様に円柱状であっても良い。図７Ｂ，図７Ｃは、円柱状の小径部を有する柱状部２１０ｄの構成例を示す図であり、図７Ｂは上方から柱状部２１０ｄを眺めた状態を示し、図７Ｃは側面から柱状部２１０ｄを眺めた状態を示している。これらの図に示すように柱状部２１０ｄは直径Ｄ1の大径部２１０ｄ１と直径Ｄ2の小径部２１ｄ２とを備えている。すなわち、柱状部２１０ｄは直径が異なる部位を有する柱状の部材である。
【００５２】
柱状部２１０ｄは、ヒンジ２１の部材２１ｂ，２１ｃに挟まれて使用される。柱状部２１０ｄを有するヒンジ２１が扉２０に連結されている場合、大径部２１ｄ１が扉支持部材３０の円形穴３０ａに挿入された状態で扉２０が回転可能である。また、扉２０を上方に移動させて小径部２１ｄ２が円形穴３０ａに挿入された状態とすれば、小径部２１ｄ２をスリット３０ｂの間に通すことによって扉２０を前後にスライド移動させることが可能である。
【符号の説明】
【００５３】
１０…制御機、１１…遮熱板、１３…側面、２０…扉、２１…ヒンジ、２１ｄ…柱状部、２１ｄ１…大径部、２１ｄ２…小径部、３０…扉支持部材、３０ａ…円形穴、３０ｂ…スリット、３０ｃ…規制部材、４０〜４２…取付部
【図１】
0006571504.tif 000002
【図２】
0006571504.tif 000003
【図３】
0006571504.tif 000004
【図４】
0006571504.tif 000005
【図５】
0006571504.tif 000006
【図６】
0006571504.tif 000007
【図７】
0006571504.tif 000008